(57)【要約】【課題】  （１）印刷時に記録媒体厚を検知できること。  （２）記録装置の記録部と記録媒体の距離を一定とし、安定で良質な記録ができること。【解決手段】  （１）着脱可能な画像読取り装置を有し記録媒体と相対的に走査される記録装置において、前記画像読取り装置は、画像を光学的に読取り、前記記録装置と電気的及び機械的に接続されるよう構成する。  （２）画像読取り装置は前記記録装置の印刷時より前に記録媒体厚を検知し、前記記録装置の記録部と前記記録媒体の距離を機械的に調整し、前記記録部と前記記録媒体の距離を一定とする。【選択図】  図１
2006240061.tif 000002
【特許請求の範囲】
【請求項１】
着脱可能な画像読取り装置を有し記録媒体と相対的に走査される記録装置において、前記画像読取り装置は、画像を光学的に読取り、前記記録装置と電気的及び機械的に接続されることを特徴とする記録装置。
【請求項２】
前記画像読取装置は、光源と光センサ及び電気部品等で前記画像読取り装置と相対的に走査される記録媒体の厚さを光学的に読取ることを特徴とする記録装置。
【請求項３】
前記画像読取り装置は前記記録装置の記録部が記録媒体に印刷するより前の場所で前記記録媒体を読取ることを特徴とする記録装置。
【請求項４】
前記画像読取り装置は前記記録装置の印刷時より前に記録媒体を検知可能とすることを特徴とする記録装置。
【請求項５】
前記画像読取り装置は前記記録装置の印刷時より前に記録媒体厚を検知し、前記記録装置の記録部と前記記録媒体の距離を機械的に調整し、前記記録部と前記記録媒体の距離を一定とすることを特徴とする記録装置。
【発明の詳細な説明】
【技術分野】
【０００１】
本発明は、光学的な画像読取り装置を有する記録装置に関し、前記画像読取り装置が着脱可能で前記記録装置と電気的に接続される技術分野に属するものである。
【背景技術】
【０００２】
従来の記録装置はコンピューターからのデーターを受け取り、そのデーターに基づき記録媒体と相対的に走査する記録装置が記録するの一般的である。近年の記録装置では記録だけではなく、記録媒体にあらかじめ記録されている画像を光学的に読取ることもできる画像読取り装置を有する記録装置が存在している。
【０００３】
又、別の従来例としては、特許文献１及び特許文献２をあげることが出来る。
【特許文献１】特開平０６−３２８７９９号公報
【特許文献２】特開２００４−１６８４７４号公報
【発明の開示】
【発明が解決しようとする課題】
【０００４】
しかし、従来の記録媒体と相対的に走査する記録装置では記録媒体への記録または画像を読取る際に、前記記録装置と画像読取り手段を別々な仕組み（記録時は記録用部品を記録装置に使用、読み取り時は画像読取り装置を記録装置に使用）で仕様しているため、印刷時に記録媒体厚を検知し使用者に知らせることは不可能であった。本発明では記録媒体と相対的に走査する記録装置を電気的及び機械的に接続している着脱可能な画像読取り装置を装備し、印刷時に記録媒体厚を検知できることを目的としている。また、インクジェット式のプリンターなどでは、その方式により微小なインクを記録媒体に飛ばすため記録部と記録媒体の間隔を一定に保つことが重要となる。そこで本発明では前記画像読取り装置により記録媒体厚を検知し、それに基づき前記記録装置の記録部と記録媒体厚の距離を一定とし、安定で良質な記録ができることを第2の目的としている。
【課題を解決するための手段】
【０００５】
上記の第1の目的を達成するために着脱可能な画像読取り装置を有し記録媒体と相対的に走査される記録装置において、前記画像読取り装置は、画像を光学的に読取り、前記記録装置と電気的及び機械的に接続されることを特徴とするものである。
【０００６】
また、上記目標１を達成するために前記画像読取り装置は、その光源と光センサで相対的に走査される記録媒体の厚さを光学的に読取ることを特徴とするものである。
【０００７】
また、上記目標１を達成するために前記画像読取り装置は前記記録装置の記録部が記録媒体に印刷するより前の場所で前記記録媒体を読取ることを特徴とするものである。
【０００８】
また、上記目標１を達成するために前記画像読取り装置は前記記録装置の印刷時より前に記録媒体厚を検知可能とすることを特徴とするものである。
【０００９】
また、上記目標２を達成するために前記画像読取り装置は前記記録装置の印刷時より前に記録媒体厚を検知し、前記記録装置の記録部と前記記録媒体の距離を機械的に調整し、前記記録部と前記記録媒体の距離を一定とすることを特徴とするものである。
【発明の効果】
【００１０】
以上説明したように本発明は、着脱可能な画像読取り装置が記録媒体と相対的に走査される記録装置において、前記画像読取り装置は、前記記録媒体に光を照射する光源及び反射した光を読取る光センサを有し、前記記録媒体の厚さを検知することが可能である。
【００１１】
さらに印刷するより前に記録媒体の厚さを検知し、記録部と記録媒体の距離が安定した画像を記録するために適していない場合は前記の距離を適した距離を機械的に修正し安定した画像を記録することが可能である。
【発明を実施するための最良の形態】
【００１２】
本発明の実施例について図面に基づいて説明する。
【実施例１】
【００１３】
図１は、本発明の実施例１であり、着脱可能で光学的な画像読取り装置を有するインクジェット方式のプリンターである。同図２に記録媒体１と相対に走査する記録部であるキャリッジ２が設けてある。キャリッジ２の下部にはインク滴を飛ばすことにより記録媒体１に記録をするヘッド部３が、またキャリッジの左側面にはキャリッジ２と電気的に接続された画像を光学的に読取る着脱可能なスキャナユニット４が設けてある。このキャリッジは棒状のシャフト５にガイドされて駆動ベルト６及び駆動モータ７により制御さている。なお、シャフト5を上下に変動させることでキャリッジ２つまりヘッド部３及びスキャナユニット４も上下に変動し、記録時にヘッド部３と記録媒体１の間の間隔を調整することが可能である。またキャリッジ３はシャフト５上で記録媒体１が搬入される方向と相対的に移動し、記録媒体１がヘッド部３に位置したとき微小なインク滴を飛ばすことで印刷を行うことができる。
【００１４】
また画像読取り時も同様にオートシードフィーダ８から画像が搬入されプラテン９を通るが、スキャナユニット４はその光源の赤、緑、青のLEDがプラテン９の部分を照射しており、画像がプラテン部に位置したときこのLEDが画像を照らし、その反射光を同スキャナユニット４の光センサ、IC等の部品が電気信号に変換し画像は読取られる。
【００１５】
スキャナユニット４の構造を図２に示した。スキャナユニット４は電気回路基板１０が装備されており、この電気回路基板１０には光源１１がありプラテン（図１の９参照）を通過する記録媒体１２を照射し、その反射光を光センサ１３、ミラー１４、フィールドレンズ１５、結像レンズ１６、ロッドレンズ１７、集積回路１８等により検知し電気信号に変換する。また、このスキャナユニット４は外装１９により覆われ外部の光を遮断している。なお内面は補強版２０で補強されている。
【００１６】
このスキャナユニット４がオートシートフィーダ（図１の８参照）で送られプラテン（図１の９参照）を通る記録媒体を光源により照射し、記録媒体があるときとそうでないときの反射光量を比較し記録媒体の厚さを知ることが可能となる。
【実施例２】
【００１７】
図３に記録媒体に記録を行う場合、前記記録媒体厚を検知し印刷するまでのフローチャートを示した。印刷が始まると記録媒体はオートシードフィーダによりプラテンへと送られそこでスキャナー部が光学的に厚さを検知し、前記記録媒体とヘッド部との距離が適正であると判断した場合は前記ヘッド部で印刷、排紙され印刷完了となる。一方、前記記録媒体とヘッド部との距離が適していない場合は駆動装置によりシャフトを機械的に変動、つまりキャリッジ（ヘッド部）を適した高さに上下させて安定した間隔で印刷をすることができる。
【実施例３】
【００１８】
前記実施例２において、記録媒体とヘッド部との距離が適していない場合は駆動装置によりシャフトを機械的に変動したが、構造によっては記録媒体の下の部分を変動させても同様の印刷をすることが可能である。
【図面の簡単な説明】
【００１９】
【図１】実施例１である記録装置の斜視図
【図２】実施例１の着脱可能なスキャナユニットの断面図
【図３】実施例２の記録媒体厚検知のフローチャート図
【符号の説明】
【００２０】
１  記録媒体
２  キャリッジ
３  記録ヘッド部
４  スキャナユニット
５  シャフト
６  駆動ベルト
７  駆動モータ
８  オートシードフィーダ
９  プラテン
10  電気基板
11  光源
12  記録媒体
13  光センサ
14  ミラー
15  フィールドレンズ
16  結合レンズ
17  ロッドレンズ
18  IC
19  外装
20  補強板
【図１】
2006240061.tif 000003
【図２】
2006240061.tif 000004
【図３】
2006240061.tif 000005